(57)【要約】【課題】本発明の課題は、携帯端末装置が利用した動画の記録を収集できる動画コンテンツを提供することである。【解決手段】サーバ装置から端末装置にネットワークを通して送信され、再生表示される１つ以上の動画とスクリプトを含んで構成される動画コンテンツファイルであって、前記スクリプトが、端末装置の再生時には、閲覧者が端末装置により選択指示する対象となる対話インターフェースとして動作するものであって、前記対話インターフェースが、閲覧中の動画コンテンツファイルまたは他の動画コンテンツファイルに含まれる動画の選択指示を受け付けるものであって、この動画の選択指示が、該動画を特定する情報を含んだ特定のネットワーク資源の要求あるいはコンテンツファイル送信要求を端末装置から発するように解釈されるスクリプトに関係付けられていることを特徴とする動画コンテンツファイルである。【選択図】図１
2008217505.tif 000002
【特許請求の範囲】
【請求項１】
サーバ装置から端末装置にネットワークを通して送信され、端末装置の表示部に再生表示される１つ以上の動画を含んで構成される動画コンテンツファイルであって、
前記端末装置は、
情報を表示する表示部と、利用者からの入力を受け付ける入力部と、
前記サーバ装置とネットワークを介した通信を行う通信部と、
動画コンテンツファイルに含まれる動画を前記表示部に再生表示するとともに、動画コンテンツファイルに含まれるスクリプトを解釈して前記表示部或いは通信部を制御する命令を発する再生手段と、を備えたものであって、
前記動画コンテンツファイルは、１つ以上の動画と、
前記再生手段による再生時には、閲覧者が前記入力部により選択指示する対象となる対話インターフェースとして動作するスクリプトを含むものであって、
さらに、
前記対話インターフェースは、閲覧中の動画コンテンツファイルに含まれる動画、または、他の動画コンテンツファイルに含まれる動画の選択指示を受け付けるものであって、この動画の選択指示は、該動画を特定する情報あるいは該動画と直前に閲覧した動画の両方を特定する情報、を含んだ特定のネットワーク資源の要求あるいは動画コンテンツファイル送信要求を前記通信部から発するように解釈されるスクリプトに関係付けられている
ことを特徴とする動画コンテンツファイル。
【請求項２】
請求項１に記載の動画コンテンツファイルであって、
他の動画コンテンツファイルに含まれる動画の選択指示は、前記サーバ装置に対して該他の動画コンテンツファイルの要求を前記通信部から発するように解釈されるスクリプトに関係付けられている動画コンテンツファイル。
【請求項３】
請求項１に記載の動画コンテンツファイルを、ネットワークを通じてこれを受信し再生する携帯端末装置に配信するコンテンツサーバ装置であって、最初に再生される動画の動画特定情報を含むファイル識別情報を持つ動画コンテンツファイルと、ログファイルを記憶する記憶手段と、再生表示させる動画の特定情報を含むネットワーク資源要求あるいは動画コンテンツファイル送信要求を受け付けて、この要求をログファイルに記録するログ記録手段と、送信された動画コンテンツファイル要求を受け付けて、該当する動画コンテンツファイルを返信するコンテンツ送信手段と、を備えることを特徴とするサーバ装置。
【請求項４】
コンピュータに組込むことによって、コンピュータを請求項３に記載のサーバ装置として動作させるコンピュータプログラム。
【請求項５】
の発明は、請求項４に記載のコンピュータプログラムを記録したコンピュータ読取り可能な記録媒体。
【発明の詳細な説明】
【技術分野】
【０００１】
本発明は、多数の動画から構成されるコンテンツを携帯端末装置にて再生表示するに当たって、動画の再生利用状況の記録を取らせることができるコンテンツ、および、そのコンテンツを提供するサーバ装置に関するものである。
【背景技術】
【０００２】
近年の携帯端末装置の普及により、携帯端末装置の利用者は、インターネットのＷＥＢサイトから商品カタログのように複数のページを含むコンテンツを取得して、携帯端末装置の表示画面に再生して閲覧する機会が増えている。
たとえば、コンテンツを動画で構成して、各動画の動作終了画面を、紙媒体である雑誌やカタログ等のページに見立てることが可能である。あたかもページが捲くられるような動きの動画を用いて、紙媒体の雑誌やカタログ等を閲覧する動作を表示装置上に表現できる。
このように、コンテンツにアニメーションの効果を付けることで表現豊かなコンテンツが作成できる。携帯端末装置用の動画コンテンツでは、Flash Lite形式を使用することが多い。携帯端末装置の表示画面サイズは端末ごとに異なるが、Flash Lite形式のコンテンツは表示寸法を画面サイズに合わせて自動調整して表示させることができるという長所がある。この形式の動画コンテンツは、携帯端末装置用のコンテンツにするために、携帯端末装置で受信可能なファイル容量の動画コンテンツファイルに分割して作成されている。
つまり、１つの動画コンテンツは、幾つかの動画コンテンツファイルから構成されている。
１つの動画コンテンツファイルは、幾つかの、音声や文字や画像から構成される動画を含むファイルである。そこで、携帯端末装置は、表示させたい動画を含む動画コンテンツファイルを呼び出して、これを受信して動画を再生表示する。
【０００３】
ここで、Flash Lite形式の動画コンテンツファイルの動画を再生する仕組みについて説明する。
図４は、Flash Lite形式の動画コンテンツファイルの動画再生の説明図である。複数の動画を含むFlash Lite形式の動画コンテンツファイル３９１は、携帯端末装置１００に読み出されたとき最初に表示される動画３９２ａが１つ決まっていて、それ以外の動画３９２ｂは、最初の動画３９２ａが表示された後でなければ表示することができない。そこで、動画コンテンツファイルの動画再生順序は、次のようになる。
携帯端末装置が動画コンテンツファイル３９１を呼び出すと、最初に再生されるように設定された動画３９２ａが自動的に再生表示される（図４（１））。
それ以外の動画は、最初に再生されるように設定された動画３９２ａが再生表示された後に選択されて、再生表示する（同（２））。
【０００４】
非特許文献１には、複数の動画に画面遷移する動画コンテンツを、携帯端末装置が受信可能なファイル容量に分割して、Flash Lite形式の動画コンテンツファイルを作成する技術が開示されている。
【非特許文献１】小松学史著、「基礎から学ぶ  モバイルFlashコンテンツ作成講座」、初版、株式会社技術評論社、平成１６年９月１５日、
【発明の開示】
【発明が解決しようとする課題】
【０００５】
ところで、動画コンテンツの閲覧動向を調査するために、携帯端末装置において、どの動画が閲覧表示されたかの参照情報を収集したいことがある。
非特許文献１の技術では、動画コンテンツを提供するサーバ装置は、携帯端末装置が動画コンテンツファイルを呼び出した記録は収集できる。しかしながら、携帯端末装置が記憶するFlash Lite形式の動画コンテンツファイルの動画を再生表示させたときに、どの動画が閲覧表示されたかの参照情報を収集することできずに不便であった。
【０００６】
本発明はこのような点を解決するためになされたものであって、本発明の課題は、携帯端末装置が利用した動画の記録を収集できる動画コンテンツを提供することである。
【課題を解決するための手段】
【０００７】
本発明は、以下のような解決手段により、前記課題を解決する。すなわち、請求項１の発明は、サーバ装置から端末装置にネットワークを通して送信され、端末装置の表示部に再生表示される１つ以上の動画を含んで構成される動画コンテンツファイルであって、前記端末装置は、情報を表示する表示部と、利用者からの入力を受け付ける入力部と、前記サーバ装置とネットワークを介した通信を行う通信部と、動画コンテンツファイルに含まれる動画を前記表示部に再生表示するとともに、動画コンテンツファイルに含まれるスクリプトを解釈して前記表示部或いは通信部を制御する命令を発する再生手段と、を備えたものであって、前記動画コンテンツファイルは、１つ以上の動画と、前記再生手段による再生時には、閲覧者が前記入力部により選択指示する対象となる対話インターフェースとして動作するスクリプトを含むものであって、さらに、前記対話インターフェースは、閲覧中の動画コンテンツファイルに含まれる動画、または、他の動画コンテンツファイルに含まれる動画の選択指示を受け付けるものであって、この動画の選択指示は、該動画を特定する情報あるいは該動画と直前に閲覧した動画の両方を特定する情報、を含んだ特定のネットワーク資源の要求あるいはコンテンツファイル送信要求を前記通信部から発するように解釈されるスクリプトに関係付けられていることを特徴とする動画コンテンツファイルである。
【０００８】
このように、動画コンテンツファイルは、端末装置が選択して再生表示させる動画の特定情報をネットワーク上に発信させる。
【０００９】
請求項２の発明は、請求項１に記載の動画コンテンツファイルであって、他の動画コンテンツファイルに含まれる動画の選択指示は、前記サーバ装置に対して該他の動画コンテンツファイルの要求を前記通信部から発するように解釈されるスクリプトに関係付けられている動画コンテンツファイルである。
【００１０】
請求項３の発明は、請求項１に記載の動画コンテンツファイルを、ネットワークを通じてこれを受信し再生する携帯端末装置に配信するコンテンツサーバ装置であって、最初に再生される動画の動画特定情報を含むファイル識別情報を持つ動画コンテンツファイルと、ログファイルを記憶する記憶手段と、再生表示させる動画の特定情報を含むネットワーク資源要求あるいはコンテンツファイル送信要求を受け付けて、この要求をログファイルに記録するログ記録手段と、送信された動画コンテンツファイル要求を受け付けて、該当する動画コンテンツファイルを返信するコンテンツ送信手段と、を備えることを特徴とするサーバ装置である。
【００１１】
請求項４の発明は、コンピュータに組込むことによって、コンピュータを請求項３に記載のサーバ装置として動作させるコンピュータプログラムである。
【００１２】
請求項５の発明は、請求項４に記載のコンピュータプログラムを記録したコンピュータ読取り可能な記録媒体である。
【発明の効果】
【００１３】
本願発明によれば、Flash Lite形式の携帯用動画コンテンツファイルを用いる携帯端末装置に対して、動画の利用記録を収集することが可能となる。
【発明を実施するための最良の形態】
【００１４】
以下、図面等を参照しながら、本発明の実施の形態について、更に詳しく説明する。
【００１５】
図１は、本発明による携帯コンテンツ利用記録システムの概要を説明する図である。本発明による携帯コンテンツ利用記録システム１は、携帯端末装置１００と、携帯コンテンツＨＴＴＰサーバ装置３００と、がネットワークで接続されて構成される。ネットワークは、携帯端末装置１００と無線接続するアンテナ９００を備えた携帯電話事業者のネットワークがゲートウェー８００を介してインターネット７００と接続されたネットワークである。
【００１６】
携帯コンテンツＨＴＴＰサーバ装置３００は、複数の動画から構成される動画コンテンツファイルを記憶する。なお、以下本実施形態では動画コンテンツファイルとしてFlash Lite動画コンテンツファイルを採用することとして記載する。携帯コンテンツＨＴＴＰサーバ装置３００は、動画コンテンツファイルを携帯端末装置１００に送信する。
【００１７】
携帯コンテンツＨＴＴＰサーバ装置３００は、コンピュータプログラムによって制御されるサーバコンピュータである。携帯コンテンツＨＴＴＰサーバ装置３００のコンピュータプログラムには、既存のＨＴＴＰサーバプログラム（たとえば、Apache）を用いる。
【００１８】
携帯端末装置１００は、携帯コンテンツＨＴＴＰサーバ装置３００に送信要求して返信された動画コンテンツファイルを受信して再生表示する。
携帯端末装置１００は、携帯電話である。
【００１９】
図２は、携帯コンテンツＨＴＴＰサーバ装置３００の詳細な構成図である。携帯コンテンツＨＴＴＰサーバ装置３００は、既存のＨＴＴＰサーバプログラム（たとえば、Apache）を備える。ＨＴＴＰサーバプログラムは、コンテンツ送信手段３３０と、選択動画情報受付手段３４０と、ログ記録手段３５０と、閲覧集計手段３６０と、記憶手段３９０と、を含んで構成される。
【００２０】
記憶手段３９０は、動画コンテンツファイル３９１とログファイル３９５とページ遷移調査ファイル３９７を記憶する。動画コンテンツファイル３９１は、Flash Lite形式で記述された音声や画像や文字のデータである
【００２１】
コンテンツ送信手段３３０は、携帯端末装置１００からファイル識別情報を含むコンテンツ送信要求を受け付けて、該当する動画コンテンツファイル３９１を返信する。
【００２２】
選択動画情報受付手段３４０は、送信された選択動画情報を含むネットワーク資源要求を受け付ける。ログ記録手段３５０は、前記受け付けたネットワーク資源要求あるいはコンテンツファイル送信要求をログファイル３９５に記録する。
【００２３】
閲覧集計手段３６０は、ログファイル３９５を参照して、選択動画情報を抽出して、これに含まれる動画の特定情報を集計する。
【００２４】
なお、図２のページ遷移調査ファイル３９７は、ネットワーク資源要求により要求されるネットワーク資源を表す。
【００２５】
コンテンツ送信手段３３０と、選択動画情報受付手段３４０と、ログ記録手段３５０と、閲覧集計手段３６０と、は、ＨＴＴＰサーバプログラムに含まれるコンピュータプログラムである。動画コンテンツファイル３９１と、ログファイル３９５と、ページ遷移調査ファイル３９７は、コンピュータプログラムが可読なデータである。記憶手段１９０は、半導体メモリや磁気メモリである。
【００２６】
図３は、本発明による携帯コンテンツ利用記録システム１の大まかな動作フローである。
携帯端末装置１００は、ＨＴＴＰサーバ装置３００に動画コンテンツファイルを要求する（図３（１））。ＨＴＴＰサーバ装置３００は、携帯端末装置１００から動画コンテンツファイルの要求を受信して、これを返信する（同（２））。携帯端末装置１００は、ＨＴＴＰサーバ装置３００から返信される要求した動画コンテンツファイルを受信して、動画コンテンツファイルの最初に再生される動画を表示する（同（３））。
【００２７】
次に、携帯端末装置１００は動画の選択情報を受け付けて、これが受信した動画コンテンツファイルに含まれれば、該当する動画を選択して再生表示して、選択された動画の識別情報を含むネットワーク資源要求を携帯コンテンツＨＴＴＰサーバ装置３００に送信する。また、受け付けた動画選択情報の動画が受信した動画コンテンツファイルに含まれなければ、選択された動画情報を含む動画コンテンツファイル送信要求を携帯コンテンツＨＴＴＰサーバ装置３００に送信する。（同（４））。携帯コンテンツＨＴＴＰサーバ装置３００はＨＴＴＰサーバ装置３００から送信されたネットワーク資源要求や動画コンテンツファイル送信要求を受信して、ログファイルに記録する（同（５））。
【００２８】
動画コンテンツファイル送信要求を受信した場合には、携帯コンテンツＨＴＴＰサーバ装置３００は該当する動画が最初に再生表示されるコンテンツファイルを選択してこれを返信する（同（６））。携帯端末装置１００は返信された動画コンテンツファイルを受信して、最初に再生される動画を表示する（同（７））。次に（４）に戻る。
【００２９】
図５は、携帯端末装置１００の詳細な構成図である。携帯端末装置１００は、ＷＥＢブラウザ１１０と、コンテンツプレイヤ１２０と、を備える。
【００３０】
ＷＥＢブラウザ１１０は、ファイル識別情報を含むＵＲＬを用いて携帯コンテンツＨＴＴＰサーバ装置３００に接続して、返信された動画コンテンツファイル３９１を受信する。コンテンツプレイヤ１２０は動画コンテンツファイル３９１（の最初の動画）を再生させて表示部に表示させる。コンテンツプレイヤ１２０は、表示部に表示させた対話インターフェースオブジェクトから、動画コンテンツファイル３９１の動画選択情報の入力を受け付ける。コンテンツプレイヤ１２０は、前記選択された動画が動画コンテンツファイル３９１に含まれればこれを再生表示する。ＷＥＢブラウザ１１０は、動画選択情報を含むネットワーク資源要求あるいは動画コンテンツファイル送信要求を携帯コンテンツＨＴＴＰサーバ装置３００に送信する。
【００３１】
ＷＥＢブラウザ１１０と、コンテンツプレイヤ１２０と、は、コンピュータプログラムである。例えばＷＥＢブラウザ１１０はＩＮＴＥＲＮＥＴ  ＥＸＰＬＯＲＥＲ(登録商標)であり、コンテンツプレイヤ１２０はＦＬＡＳＨプレイヤである。
【００３２】
図６は、動画コンテンツファイル閲覧中の携帯端末装置１００の表示画面の説明図である。図６には、動画コンテンツファイル３９１の選択された動画を再生する画面１２０ｄが例示されている。画面１２０ｄは、動画「Ｄ」の動作終了画面と、対話インターフェースオブジェクト１２２（動画選択メニュー）から構成されている。対話インターフェースオブジェクト１２２には、他の動画に画面遷移するための動画指定ボタン「[0] 表紙」、「[1] Ａへ」、「[2] Ｂへ」、「[3] Ｃへ」、「[4] Ｄへ」、「[5] Ｅへ」、「[6] Ｆへ」、「[7] Ｇへ」、「[8] Ｈへ」などが記載されている。
【００３３】
なお、各動画指定ボタンは、特定の動画を再生表示させるFlashスクリプトと関連付けられている。なお、このFlashスクリプトには、再生表示させる動画の特定情報や動画ファイル送信要求などが含まれている。
【００３４】
たとえば、動画指定ボタン「[2] Ｂへ」には、Flashスクリプト「on ( press, keyPress “2” ) [ loadVariables(“D-B.txt”,-root ); gotoAndPlay(“B”);]」が関連付けられている例が示されている。
そこで、動画指定ボタン「[2] Ｂへ」が押されると、Flashスクリプトにより、動画「Ｂ」が再生されて、ネットワーク資源要求（＝ファイル名「D-B.txt」のファイル要求）が発行される。ここで、ファイル名「D-B.txt」のファイルは、頁遷移調査ファイル３９７である。
【００３５】
なお、携帯コンテンツＨＴＴＰサーバ装置３００は、ファイル名「D-B.txt」のファイル要求を受信して、これをログファイルに記録する。ログファイルの記録により、ファイル名に含まれる情報「D-B」から、動画「D」の表示状態から動画「B」が再生表示されたことが分かる。ここで、ネットワーク資源要求されたファイル名「D-B.txt」のファイルは空のファイルでもよいし、実体が無くてもよい。したがって、実体が無いファイルの場合には、携帯コンテンツＨＴＴＰサーバ装置３００は、ファイルを返信する必要はない。
【００３６】
また、動画指定ボタン「[6] Ｆへ」には、「on ( press, keyPress ““6” ) [ getURL(“D-F.swf”);]」が関連付けられている例が示されている。そこで、動画指定ボタン「[6] Ｆへ」が押されると、Flashスクリプトにより、動画「Ｆ」が最初に再生される動画コンテンツファイルの送信要求と、が発行される。
【００３７】
なお、携帯コンテンツＨＴＴＰサーバ装置３００は、ファイル名「D-F.swf」のファイル要求（＝動画「Ｆ」が最初に再生される動画コンテンツファイルの送信要求）を受信して、これをログファイルに記録して、動画「Ｆ」が最初に再生される動画コンテンツファイルを返信する。
【００３８】
図７は、携帯コンテンツ利用記録の処理手順を説明する図である。
携帯コンテンツＨＴＴＰサーバ装置３００は、携帯端末装置１００によって要求された所定の動画コンテンツファイル３９１ａを携帯端末装置１００に返信する。携帯端末装置１００は、要求した動画コンテンツファイル３９１ａが返信されて、これを受信して、最初に再生される動画「Ａ」を動画表示画面１２０ａに表示する（図７（１））。
【００３９】
携帯端末装置１００は、動画表示画面１２０ａの動画選択メニューの動画指定ボタン「[4] Ｄへ」が選択されると、この動画指定ボタンに関連付けられたFlashスクリプトにより、動画「Ｄ」を再生して動画表示画面１２０ｄに表示する（同（２））。
携帯端末装置１００は、この動画指定ボタン「[4] Ｄへ」に関連付けられたFlashスクリプトにより、ファイル名「A-D.txt」のファイル要求（＝ネットワーク資源要求）を携帯コンテンツＨＴＴＰサーバ装置３００に発行する。携帯コンテンツＨＴＴＰサーバ装置３００は、発行されたファイル名「A-D.txt」のファイル要求を受け付けてログファイル３９５に記録する（同（３））。
【００４０】
携帯端末装置１００は、動画表示画面１２０ｄの動画選択メニューの動画指定ボタン「[5] Ｅへ」が選択されると、この動画指定ボタンに関連付けられたFlashスクリプトにより、ファイル名「D-E.swf」の動画ファイル要求（＝動画「Ｅ」が最初に再生される動画コンテンツファイル３９１ｅの送信要求）を携帯コンテンツＨＴＴＰサーバ装置３００に発行する（同（４））。携帯コンテンツＨＴＴＰサーバ装置３００は、動画ファイル送信要求を受け付けて、動画コンテンツファイル３９１ｅを返信する（同（５））。携帯端末装置１００は、動画コンテンツファイル３９１ｅを受信して、最初に再生される動画「Ｅ」を動画表示画面１２０ｅに表示する（同（６））。
携帯コンテンツＨＴＴＰサーバ装置３００は、発行されたファイル名「D-E.swf」の動画ファイル要求をログファイル３９５に記録する（同（７））。
【００４１】
なお、携帯コンテンツＨＴＴＰサーバ装置３００には、各動画が最初に再生される動画コンテンツファイル３９１が用意されている。
また、ファイル名「A-D.txt」や「A-B.txt」などのファイル（＝頁遷移調査ファイル３９７）は、存在しなくてもよい。
【００４２】
次に、実施例を説明する。
（実施例１）
カタログや情報誌の１ページを１つの動画として構成した動画コンテンツファイルを配信する例について説明する。
【００４３】
図８は、動画コンテンツファイルを用いたカタログのページ表示画面の説明図である。動画コンテンツファイルを用いたカタログのページ表示画面１２０ｐが例示されている。動画コンテンツファイルを用いたカタログは、ページが捲くられる動作を行い、動作終了画面がカタログの１つのページを表示するように構成されている。ページ表示画面１２０ｐには、カタログのページ「１」とページ選択メニュー１２２から構成されている。ページ選択メニュー１２２には、他のページを選択するためのページ選択ボタン「[1] 1pへ」、「[2] 2pへ」、「[3] 3pへ」、「[4] 4pへ」、「[5] 5pへ」、「[6] 6pへ」、「[7] 7pへ」、「[8] 8pへ」、「[9] 索引」などが記載されている。
【００４４】
各ページ選択ボタンには、再生表示させる動画の特定情報（たとえばページ番号）を含む動画再生表示機能と再生表示させる動画の特定情報を含むネットワーク資源要求が関連付けられている。あるいは、再生表示させる動画の特定情報を含む動画コンテンツファイル送信要求が関連付けられている。
【００４５】
たとえば、ページ選択ボタン「[3] 3pへ」には、Flashスクリプト「on ( press, keyPress “3” ) [ loadVariables(“p1-p3.txt”,-root ); gotoAndPlay(“3p”);]」が関連付けられている例が示されている。そこで、ページ選択ボタン「[3] 3pへ」が押されると、Flashスクリプトにより、動画「3p」が再生されて、ファイル名「p1-p3.txt」のファイル要求（＝ネットワーク資源要求）が発行される。なお、ファイル名「p1-p3.txt」のファイルは、頁遷移調査ファイル３９７である。
【００４６】
また、ページ選択ボタン「[7] 7pへ」には、Flashスクリプト「on ( press, keyPress “7” ) [ setURL(“p1- p 7.swf”);]」が関連付けられている例が示されている。そこで、ページ選択ボタン「[7] 7pへ」が押されると、Flashスクリプトにより、ファイル名「p1-p7.swf」の動画コンテンツファイル送信要求（＝動画「7p」が最初に再生される動画コンテンツファイルの送信要求）と、が発行される。
【００４７】
図９は、動画コンテンツファイルを用いたカタログのページの利用記録処理手順を説明する図である。携帯コンテンツＨＴＴＰサーバ装置３００には、カタログの各ページが最初に再生される動画コンテンツファイル３９１が用意されている。
【００４８】
携帯端末装置１００は、動画コンテンツファイル３９１ｅのカタログのページ「８」を再生して動画表示画面１２０ｅに表示する（図９（１））。
【００４９】
動画表示画面１２０ｅのページ選択ボタン１２４ｅ「[4] 4pへ」が選択されると、ページ選択ボタン１２４ｅに関連付けられたFlashスクリプトにより、ファイル名「p8-p4.swf」の動画ファイル要求（＝ページ「４」が最初に再生される動画コンテンツファイル３９１ｄの送信要求）を携帯コンテンツＨＴＴＰサーバ装置３００に発行する（同（２））。
【００５０】
携帯コンテンツＨＴＴＰサーバ装置３００は、動画ファイル送信要求を受け付けて、動画コンテンツファイル３９１ｄを返信する（同（３））。
【００５１】
携帯端末装置１００は、動画コンテンツファイル３９１ｄを受信して、最初に再生されるページ「４」を動画表示画面１２０dに表示する（同（４））。
【００５２】
携帯コンテンツＨＴＴＰサーバ装置３００は、発行されたファイル名「p8-p4.swf」の動画ファイル要求をログファイルに記録する。
【００５３】
以上詳しく説明したように、本願発明によれば、Flash Lite形式の携帯用動画コンテンツファイルを用いる携帯端末装置に対して、動画コンテンツファイル単位ではなく、動画毎の利用記録を収集することが可能となった。
【図面の簡単な説明】
【００５４】
【図１】本発明による携帯コンテンツ利用記録システムの概要
【図２】携帯コンテンツＨＴＴＰサーバ装置３００の詳細な構成図
【図３】本発明による携帯コンテンツ利用記録システム１の大まかな動作フロー
【図４】Flash Lite形式の動画コンテンツファイル３９１の動画を再生する仕組み
【図５】携帯端末装置１００の詳細な構成図
【図６】動画コンテンツファイル閲覧中の携帯端末装置１００の表示画面
【図７】携帯コンテンツ利用記録シの処理手順
【図８】動画コンテンツファイルを用いたカタログのページ表示画面
【図９】動画コンテンツファイルを用いたカタログのページの利用記録処理手順
【符号の説明】
【００５５】
１  携帯コンテンツ利用記録システム
１００  携帯端末装置
１１０  ＷＥＢブラウザ
１２０  コンテンツプレイヤ
１２２  対話インターフェースオブジェクト
３００  携帯コンテンツＨＴＴＰサーバ装置
３３０  コンテンツ送信手段
３４０  選択動画情報受付手段
３５０  ログ記録手段
３６０  閲覧集計手段
３９０  記憶手段
３９３  動画コンテンツファイル
【図１】
2008217505.tif 000003
【図２】
2008217505.tif 000004
【図３】
2008217505.tif 000005
【図４】
2008217505.tif 000006
【図５】
2008217505.tif 000007
【図６】
2008217505.tif 000008
【図７】
2008217505.tif 000009
【図８】
2008217505.tif 000010
【図９】
2008217505.tif 000011